(57)【要約】【課題】  各電気機器の操作データを手動で入力しなければならないという手間がなく、かつ新しい電気機器の操作に対応する。【解決手段】  テレビ３およびＤＶＤ４に、操作データ３ｅ、４ｅが記憶されたメモリ３ａ、４ａと、操作データ３ｅ、４ｅをリモコン装置２に出力する出力部３ｂ、４ｂと、リモコン装置２からの操作信号を受信する受信部３ｃ、４ｃとを設け、リモコン装置２に、操作データ３ｅ、４ｅを入力する入力部２ｆと、操作データ３ｅ、４ｅを記憶するメモリ２ａと、テレビ３およびＤＶＤ４の所望の動作を選択するための操作ボタン２ｃおよびポインティングデバイス２ｄと、選択された動作に対応する操作信号をテレビ３およびＤＶＤ４に送信する送信部２ｅとを設ける。【選択図】      図１
2005175604.tif 000002
【特許請求の範囲】
【請求項１】
複数の電気機器を遠隔操作可能なリモコン装置を有するリモコンシステムであって、
前記電気機器に、前記電気機器の各動作に対応する各操作信号の操作データが記憶されたメモリと、前記操作データを前記リモコン装置に出力する出力部と、前記リモコン装置からの操作信号を受信する受信部とを設け、
前記リモコン装置に、前記電気機器からの操作データを入力する入力部と、前記操作データを記憶するメモリと、前記電気機器の所望の動作を選択するための操作部と、前記選択された動作に対応する操作信号を前記電気機器に送信する送信部とを設けることを特徴とするリモコンシステム。
【請求項２】
複数の電気機器を遠隔操作可能なリモコン装置と、前記電気機器の各動作に対応する各操作信号の操作データが記憶された操作データ記憶装置とを有し、
前記リモコン装置に、前記操作データ記憶装置からの操作データを入力する入力部と、前記操作データを記録するメモリと、前記電気機器の所望の動作を選択するための操作部と、前記選択された動作に対応する操作信号を前記電気機器に送信する送信部とを設けることを特徴とするリモコンシステム。
【請求項３】
前記リモコン装置へ入力された操作データに基づき前記電気機器の各動作を表示する表示部を有することを特徴とする請求項１または請求項２に記載のリモコンシステム。
【請求項４】
前記表示部を、前記リモコン装置に設けることを特徴とする請求項３に記載のリモコンシステム。
【発明の詳細な説明】
【技術分野】
【０００１】
本発明はリモコンシステムに係り、特に複数の電気機器を遠隔操作可能な多機能のリモコン装置を利用するリモコンシステムに関する。
【背景技術】
【０００２】
従来より、テレビやオーディオ等多くの電気機器には、これら電気機器を遠隔から操作可能なリモコン装置が付属されており、各家庭には各電気機器に対応する複数のリモコン装置が存在している。
【０００３】
そこで、近年１つのリモコン装置によって複数の電気機器に対し遠隔操作可能な多機能のリモコン装置が用いられるようになっている。
【０００４】
このようなリモコン装置には、各電気機器の各動作を操作するための操作データが予め記憶されているものや、また各電気機器の操作データをそれぞれ手動で入力し記憶させるものがある（例えば、特許文献１参照）。
【０００５】
しかし、前者の操作データが予め記憶されているリモコン装置は、予め操作データが記憶された特定の電気機器しか遠隔操作することができず、新しい電気機器に対応することができないという問題があった。
【０００６】
また、後者の操作データを手動で入力するリモコン装置は、操作データを入力することにより新しい電気機器に対応することができるが、各電気機器の操作データを入力するにあたり手間がかかってしまうという問題を有していた。
【０００７】
【特許文献１】特開平９−２２４２９０号公報
【発明の開示】
【発明が解決しようとする課題】
【０００８】
本発明はこれらの点に鑑みてなされたものであり、各電気機器の操作データを手動で入力しなければならないという手間がなく、かつ新しい電気機器の操作に対応することができる多機能のリモコン装置を利用するリモコンシステムを提供することを目的とする。
【課題を解決するための手段】
【０００９】
前記目的を達成するため、本発明に係るリモコンシステムの特徴は、複数の電気機器を遠隔操作可能なリモコン装置を有するリモコンシステムであって、前記電気機器に、前記電気機器の各動作に対応する各操作信号の操作データが記憶されたメモリと、前記操作データを前記リモコン装置に出力する出力部と、前記リモコン装置からの操作信号を受信する受信部とを設け、前記リモコン装置に、前記電気機器からの操作データを入力する入力部と、前記操作データを記憶するメモリと、前記電気機器の所望の動作を選択するための操作部と、前記選択された動作に対応する操作信号を前記電気機器に送信する送信部とを設ける点にある。
【００１０】
また、本発明に係る他のリモコンシステムの特徴は、複数の電気機器を遠隔操作可能なリモコン装置と、前記電気機器の各動作に対応する各操作信号の操作データが記憶された操作データ記憶装置とを有し、前記リモコン装置に、前記操作データ記憶装置からの操作データを入力する入力部と、前記操作データを記録するメモリと、前記電気機器の所望の動作を選択するための操作部と、前記選択された動作に対応する操作信号を前記電気機器に送信する送信部とを設ける点にある。
【００１１】
また、本発明に係る他のリモコンシステムの特徴は、前記リモコン装置へ入力された操作データに基づき前記電気機器の各動作を表示する表示部を有する点にある。
【００１２】
さらに、本発明に係る他のリモコンシステムの特徴は、前記表示部を、前記リモコン装置に設ける点にある。
【００１３】
これら本発明に係るリモコンシステムによれば、各電気機器または操作データ記憶装置から出力された操作データをリモコン装置に入力することにより、このリモコン装置を容易に複数の電気機器に対応可能な多機能のリモコン装置とすることができる。
【発明の効果】
【００１４】
以上述べたように、本発明に係るリモコンシステムによれば、操作データを各電気機器毎に手動で入力しなければならないという手間を省略することができ、容易にリモコン装置を複数の電気機器に対応させることができる。また、リモコン装置に新しい電気機器の操作データを入力させることができるので、新しい電気機器にも対応することができる。
【００１５】
また、リモコン装置は、表示部において各電気機器毎の各動作を表示ことができるので、リモコン装置に電気機器の各動作毎の操作ボタンを設ける必要がなく操作ボタンの数量を少なくすることができ、リモコン装置の操作性を向上させることができる。
【００１６】
さらに、リモコン装置の作製時において各種電気機器の操作データをリモコン装置に予め記憶させておく必要がなく、遠隔操作を行う電気機器の操作データのみを記憶させることができ、リモコン装置の操作者にとって不要な機能がないので、リモコン装置の操作性をより向上させることができる。
【発明を実施するための最良の形態】
【００１７】
以下、本発明に係るリモコンシステムの実施形態を図１から図４を参照して説明する。
【００１８】
図１は、本実施形態に係るリモコンシステムを示す概念図であり、図１に示すように、本リモコンシステム１は、複数の電気機器を遠隔操作可能な多機能のリモコン装置２と、前記リモコン装置２からの操作信号によって遠隔操作される電気機器とを有する。ここで、本実施形態においては、前記電気機器としてテレビ３およびＤＶＤ４を用いて説明する。
【００１９】
前記テレビ３および前記ＤＶＤ４は、各動作毎に異なる操作信号を受信することにより、例えばテレビ３であればチャンネルの選択や音量の調整、またＤＶＤ４であれば再生や録画等の各動作を行うようになっている。
【００２０】
前記テレビ３および前記ＤＶＤ４のＲＡＭ等からなるメモリ３ａ、４ａには、リモコン装置２に各操作信号の操作データを出力するため、前記操作データ３ｅ、４ｅが記憶されている。
【００２１】
前記テレビ３および前記ＤＶＤ４には、リモコン装置２に対して赤外線コードを用いて前記操作データ３ｅ、４ｅを出力する出力部３ｂ、４ｂ、およびリモコン装置２からの操作信号を受信する受信部３ｃ、４ｃが設けられている。
【００２２】
そして、テレビ３およびＤＶＤ４のＣＰＵ３ｄ、４ｄは、メモリ３ａ、４ａから操作データ３ｅ、４ｅを取り出してその操作データ３ｅ、４ｅを出力部３ｂ、４ｂからリモコン装置２に出力し、また受信部３ｃ、４ｃにおいてリモコン装置２からの操作信号を受信したときは、テレビ３およびＤＶＤ４がこの操作信号に基づく各動作を行うように制御するようになっている。
【００２３】
リモコン装置２のＲＡＭ等からなる書換可能なメモリ２ａには、テレビ３およびＤＶＤ４から入力した操作データ３ｅ、４ｅが記憶されるようになっている。
【００２４】
また、リモコン装置２には、図２（ａ）に示すような操作データ３ｅ、４ｅが入力された電気機器の種類（本実施形態においては、テレビ３、ＤＶＤ４）を表示し、また図２（ｂ）（ｃ）に示すように入力した操作データ３ｅ、４ｅに基づいてテレビ３およびＤＶＤ４の各動作を表示する液晶表示装置等からなる表示部２ｂが設けられている。
【００２５】
さらに、リモコン装置２には、テレビ３またはＤＶＤ４に対する所望の動作を選択するための操作部としての操作ボタン２ｃやポインティングデバイス２ｄが設けられている。そして、このリモコン装置２は、操作ボタン２ｃやポインティングデバイス２ｄを操作することによって、表示部２ｂに表示されたテレビ３またはＤＶＤ４の各動作を選択することができるようになっている。
【００２６】
さらにまた、リモコン装置２には、操作ボタン２ｃ等によって選択された動作の操作信号を、赤外線やＲＦ（Radio Frequency ）、Ｂｌｕｅｔｏｏｔｈ等の無線通信手段によってテレビ３またはＤＶＤ４に送信する送信部２ｅと、テレビ３およびＤＶＤ４の出力部３ｂ、４ｂから赤外線コードを用いて出力された操作データを入力する入力部２ｆとが設けられている。
【００２７】
ここで、本実施形態においては、テレビ３およびＤＶＤ４の出力部３ｂ、４ｂは、赤外線コードを用いて前記操作データ３ｅ、４ｅをリモコン装置２に出力しているが、これに限定されるものではない。例えば、ＲＦやＢｌｕｅｔｏｏｔｈ等の他の無線通信手段によってリモコン装置２に出力してもよく、さらにテレビ３およびＤＶＤ４の出力部３ｂ、４ｂとリモコン装置２の入力部２ｆとをＵＳＢケーブル等によって接続することにより、有線通信手段によって前記操作データ３ｅ、４ｅをリモコン装置２に出力してもよい。
【００２８】
そして、前記リモコン装置２のＣＰＵ２ｇは、入力部２ｆにおいてテレビ３またはＤＶＤ４からの操作データ３ｅ、４ｅを入力したときは、この操作データ３ｅ、４ｅをメモリ２ａに記憶させるようになっている。また前記ＣＰＵ２ｇは、操作ボタン２ｃやポインティングデバイス２ｄによってテレビ３またはＤＶＤ４の各動作が選択されると、選択された動作の操作信号を送信部２ｅからテレビ３またはＤＶＤ４に送信するようになっている。
【００２９】
次に、本実施形態の作用について説明する。
【００３０】
まず、テレビ３またはＤＶＤ４からリモコン装置２に操作データ３ｅ、４ｅの出力を開始するための開始操作を行う。この開始操作は、テレビ３またはＤＶＤ４の本体または付属のリモコン装置（図示せず）に設けられた操作ボタン等を用いるものであってもよく、また本リモコンシステム１のリモコン装置２から開始操作のための操作信号をテレビ３またはＤＶＤ４に送信するものであってもよい。
【００３１】
すると、テレビ３またはＤＶＤ４のＣＰＵ３ｄ、４ｄはメモリ３ａ、４ａから操作データ３ｅ、４ｅを取りだし、前記操作データ３ｅ、４ｅを出力部３ｂ、４ｂから無線操作手段によりリモコン装置２に出力する。
【００３２】
続いて、リモコン装置２のＣＰＵ２ｇは、テレビ３またはＤＶＤ４からの操作データ３ｅ、４ｅを入力部２ｆにおいて入力し、前記操作データ３ｅ、４ｅをメモリ２ａにおいて記憶する。
【００３３】
また、リモコン装置２のＣＰＵ２ｇは、操作データ３ｅ、４ｅを入力したテレビ３およびＤＶＤ４の電気機器のうちいずれの電気機器の遠隔操作を行うかを決定可能とするため、図２（ａ）に示すように、表示部２ｂにおいてテレビ３およびＤＶＤ４の表示を行う。
【００３４】
次に、リモコン装置２を用いてテレビ３の遠隔操作を行う場合、表示部２ｂにおける図２（ａ）の表示においてポインティングデバイス２ｄおよび操作ボタン２ｃを用いてテレビ３を選択すると、表示部２ｂにおいて図２（ｂ）に示すようなテレビ３の各動作を表示するので、この表示においてテレビ３の所望の動作をポインティングデバイス２ｄおよび操作ボタン２ｃを用いて選択する。すると、リモコン装置２のＣＰＵ２ｇは、メモリ２ａに記憶されたテレビ３の操作データ３ｅから選択された動作の操作信号を取り出して送信部２ｅからテレビ３に送信し、テレビ３のＣＰＵ３ｄは、受信部３ｃにより前記操作信号を受信し、この操作信号に基づいて所望の動作を行う。これにより、リモコン装置２を用いてテレビ３の遠隔操作を行うことができる。
【００３５】
また、リモコン装置２を用いてＤＶＤ４の遠隔操作を行う場合、表示部２ｂにおける図２（ａ）の表示においてポインティングデバイス２ｄ等を用いてＤＶＤ４を選択すると、表示部２ｂにおいて図２（ｃ）に示すようなＤＶＤ４の各動作を表示するので、この表示においてＤＶＤ４の所望の動作をポインティングデバイス２ｄ等を用いて選択することにより、リモコン装置２を用いてＤＶＤ４の遠隔操作を行うことができる。
【００３６】
さらに、例えば新しい電気機器としてオーディオ機器（図示せず）の遠隔操作を行う場合、オーディオ機器を操作するための操作データが記憶された前記オーディオ機器からリモコン装置２に前記操作データを出力し、リモコン装置２のメモリにおいて前記操作データを記憶する。これにより、図３に示すように表示部２ｂの表示にリモコン装置２によって遠隔操作可能な電気機器としてオーディオ機器が加えられ、このリモコン装置２を用いて新しくオーディオ機器の遠隔操作を行うことができる。
【００３７】
本実施形態によれば、テレビ３およびＤＶＤ４から出力された操作データ３ｅ、４ｅを、リモコン装置２において入力することにより、前記リモコン装置２を容易に複数の電気機器に対応可能な多機能のリモコン装置２とすることができる。
【００３８】
したがって、操作データ３ｅ、４ｅを各電気機器毎に手動で入力しなければならないという手間を省略することができ、容易にリモコン装置２を複数の電気機器に対応させることができる。また、リモコン装置２に新しい電気機器の操作データを入力させることができるので、新しい電気機器にも対応することができる。
【００３９】
また、リモコン装置２は、表示部２ｂにおいてテレビ３またはＤＶＤ４の各電気機器毎の各動作を表示ことができるので、リモコン装置２にテレビ３およびＤＶＤ４の各動作毎の操作ボタン２ｃを設ける必要がなく操作ボタン２ｃの数量を少なくすることができ、リモコン装置２の操作性を向上させることができる。
【００４０】
また、リモコン装置２の作製時において各種電気機器の操作データをリモコン装置２に予め記憶させておく必要がなく、遠隔操作を行う電気機器の操作データ３ｅ、４ｅのみを記憶させることができ、リモコン装置２の操作者にとって不要な機能がないので、リモコン装置２の操作性をより向上させることができる。
【００４１】
次に、本発明に係るリモコンシステムの第２の実施形態について、図４を参照して説明する。ここで、第２の実施形態のうち第１の実施形態と基本的構成が同一の箇所については同一の符号を用いて説明する。
【００４２】
図４に示すように、第２の実施形態におけるリモコンシステム１は、複数の電気機器を遠隔操作可能な多機能のリモコン装置２と、前記リモコン装置２からの操作信号によって遠隔操作される電気機器（本実施形態においては、テレビ３）と、テレビ３を操作するための操作データ３ｅが記憶された操作データ記憶装置８とを有する。
【００４３】
この操作データ記憶装置８は、操作データ６をリモコン装置２に出力する出力部８ｂを有しており、この出力部８ｂは、リモコン装置２の入力部２ｆとＵＳＢケーブル９によって接続されるようになっている。また、操作データ記憶装置８のメモリ８ａには、少なくとも１つの電子機器の操作データ（本実施形態においてはテレビ３の操作データ３ｅ）が記憶されている。
【００４４】
そして、操作データ記憶装置８は、メモリ８ａに記憶された操作データ３ｅを、出力部８ｂからＵＳＢケーブルを介してリモコン装置２に対し出力するようになっている。
【００４５】
ここで、操作データ記憶装置８の出力部８ｂは、操作データ３ｅを有線通信手段によって出力しているが、これに限定されず、第１の実施形態と同様に、無線通信手段を用いて操作データ３ｅを出力してもよく、また操作データ記憶装置８の出力部８ｂをリモコン装置２の入力部２ｆに挿入させる等直接接続することによって操作データ３ｅを出力してもよい。
【００４６】
なお、第２実施形態の他の構成は、第１実施形態の構成と同様であるので、説明を省略するが、第２の実施形態のように操作データ記憶装置８を用いて操作データ３ｅをリモコン装置２に出力可能な場合には、この操作データ３ｅに対応するテレビ３自体が操作データ３ｅを記憶していなくてもよく、操作データ３ｅを出力する出力部３ｂを有さなくてもよい。
【００４７】
本実施形態によれば、操作データ記憶装置８からリモコン装置２に対して操作データ３ｅを出力することにより、リモコン装置２は操作データ３ｅに対応するテレビ３の遠隔操作を行うことができる。
【００４８】
したがって、操作データ３ｅを各電気機器毎に手動で入力しなければならないという手間を省略することができ、容易にリモコン装置２を複数の電気機器に対応させることができる。また、リモコン装置２に新しい電気機器の操作データを入力させることができるので、新しい電気機器にも対応することができる。さらに、テレビ３等の電気機器自体が操作データ３ｅを記憶していない場合であっても、リモコン装置２によって前記テレビ３の遠隔操作を行うことができるので、前記リモコンシステム１によれば、リモコン装置２はより多くの電気機器に対応することができることとなる。
【００４９】
なお、本発明は前記各実施形態に限定されるものではなく、必要に応じて種々変更することが可能である。
【００５０】
例えば、本実施形態に置いては、リモコンシステム１に用いられる電気機器としてテレビ３やＤＶＤ４を用いて説明しているが、これに限定されず、オーディオ装置やエアコン装置等の他の種々の電気機器を用いることができる。
【００５１】
また、各実施形態においては、リモコン装置２にテレビ３およびＤＶＤ４の各動作を表示する表示部２ｂが設けられているが、これに限定されるものではない。例えば、表示部２ｂとしてテレビ３やＤＶＤ４の表示画面を利用し、前記表示画面にリモコン装置２に入力された操作データ３ｅ、４ｅに基づくテレビ３やＤＶＤ４の各動作を表示させ、この表示された各動作をリモコン装置２の操作ボタン２ｃやポインティングデバイス２ｄによって選択し、選択された動作の操作信号をリモコン装置２からテレビ３またはＤＶＤ４に送信することができるようにしてもよい。
【図面の簡単な説明】
【００５２】
【図１】本発明に係るリモコンシステムの一実施形態を示す概念図
【図２】（ａ）は図１のリモコンシステムに用いられるリモコン装置の表示部における一表示画面を示す概念図、（ｂ）は（ａ）のリモコン装置の表示部における他の表示画面を示す概念図、（ｃ）は（ａ）のリモコン装置の表示部における他の表示画面を示す概念図
【図３】図１のリモコンシステムに用いられるリモコン装置の表示部における他の表示画面を示す概念図
【図４】本発明に係るリモコンシステムの他の実施形態を示す概念図
【符号の説明】
【００５３】
１  リモコンシステム
２  リモコン装置
２ａ  メモリ
２ｂ  表示部
２ｃ  操作ボタン
２ｄ  ポインティングデバイス
２ｅ  送信部
２ｆ  入力部
３  テレビ
３ａ  メモリ
３ｂ  出力部
３ｃ  受信部
３ｅ  操作データ  
４  ＤＶＤ
４ａ  メモリ
４ｂ  出力部
４ｃ  受信部
４ｅ  操作データ
【図１】
2005175604.tif 000003
【図２】
2005175604.tif 000004
【図３】
2005175604.tif 000005
【図４】
2005175604.tif 000006